(57)【特許請求の範囲】
【請求項１】
かつらの輪郭の少なくとも一部に沿ってかつら装着者の頭部に形成されたかつら取付部であって、
複数本の毛髪を取り纏めて毛束とし該毛束を順次一方向に重ね合わせることで連接して形成する集束毛と、
上記集束毛の全長に沿って配設する芯糸と、
上記集束毛を結束する編込み用糸と、で成り、
編込み開始端の毛束を上記編込み用糸で結着すると共に、上記集束毛と上記芯糸とを纏めてその外周を上記編込み用糸で結束することで、連続した編込み部を備えるとともに、連続した編込みが終了する位置から突出して、集束毛および芯糸を編込み用糸で束ねてなる編込み張出部を形成し、当該編込み張出部を折り返して上記編込み部に縫い合わせたことを特徴とする、かつら取付部。
【請求項２】
前記編込み開始端の毛束が前記芯糸の基端でさらに結着されたことを特徴とする、請求項１に記載のかつら取付部。
【請求項３】
前記編込み用糸は、糸巻冶具から繰り出した複数本の糸で成ることを特徴とする、請求項１又は２に記載のかつら取付部。
【請求項４】
前記芯糸及び編込み用糸は、糸巻冶具から繰り出した２本の糸で成り、該２本の糸が前記編込み開始端の毛束に結着され、該結着部位から先端側を前記芯糸とすると共に、結着部位から糸巻冶具側の２本の糸を前記編込み用糸としたことを特徴とする、請求項３に記載のかつら取付部。
【請求項５】
前記編込み用糸は、糸巻冶具から繰り出した２本の糸で成っており、該２本の糸に撚りを掛けて連鎖状の広がり部を形成し、該広がり部に前記集束毛と前記芯糸とを通して該広がり部を縮径することで集束毛及び芯糸を結束することを特徴とする、請求項４に記載のかつら取付部。
【請求項６】
前記編込み開始端の第１の毛束が、編込み糸で形成した輪に通されて該第１の毛束の根元付近で結着されることで結着部を有していることを特徴とする、請求項１に記載のかつら取付部。
【請求項７】
前記結着部は、糸巻冶具から繰り出した１本又は複数本の糸で形成された輪に前記集束毛を通し該輪を縮径することで形成されることを特徴とする、請求項６に記載のかつら取付部。
【請求項８】
頭部のかつら取付部の形成を開始する位置の複数本の毛髪を取り纏めて第１の毛束とする工程と、
上記第１の毛束の根元付近に編込み用糸を結着する工程と、
上記第１の毛束に芯糸を添わせる工程と、
上記第１の毛束に隣接した位置の複数本の毛髪を取り纏めて第２の毛束とする工程と、
上記第１の毛束及び上記芯糸と、上記第２の毛束とを一方向に重ね合わせることで毛束を連接させて集束毛とする工程と、
上記集束毛を纏めて外側から編込み用糸で結束して編込み部とする工程と、を備え、
以後同様に、順次、毛束を取り込んで編込み用糸で結束することで、かつら取付部の形成を終了する所定位置まで編込み部を連続して形成し、
前記かつら取付部の形成を終了する位置において余る前記集束毛と前記芯糸とを上記集束毛の先端付近まで前記編込み用糸で締め付け束ねて棒状の編込み張出部とし、該編込み張出部を上記かつら取付部の形成終了位置から折り返し、該形成終了位置まで形成したかつら取付部に縫い合わせることを特徴とする、かつら取付部の形成方法。
【請求項９】
糸を２本使用し、該２本の糸を、頭部から所要寸法離れた位置で前記各編込み用糸にテンションをかけ頭部方向へ間隔を次第に狭めて鋭角となるように繰り出し、該２本の糸の先端から所要長さの位置に結び目とする輪を作り、この輪で上記第１の毛束の根元近傍を結着し、上記第１の毛束から繰り出し元側の２本の糸部分を上記編込み用糸として使用し、上記第１の毛束から上記先端までの２本の糸部分を上記芯糸として使用することを特徴とする、請求項８に記載のかつら取付部の形成方法。
【請求項１０】
糸を２本使用し、該２本の糸を、頭部から所要寸法離れた位置で前記各編込み用糸にテンションをかけ頭部方向へ間隔を次第に狭めて鋭角となるように繰り出し、かつ一方の糸の先端と他方の糸の先端とが前記芯糸の長さ分だけずれるように繰り出し、短く繰り出した糸の先端部に対応する位置で該２本の糸に結び目とする輪を作り、この輪で前記第１の毛束の根元近傍を結着し、前記第１の毛束から繰り出し元側の２本の糸部分を上記編込み用糸として使用し、上記第１の毛束から延びる１本の糸部分を上記芯糸として使用することを特徴とする、請求項８に記載のかつら取付部の形成方法。
【請求項１１】
前記芯糸と前記編込み用糸とは別の糸を使用し、上記編込み用糸は２本使用し頭部から所要寸法離れた位置で前記各編込み用糸にテンションをかけて互いに離れた状態から頭部方向へ間隔を次第に狭めて鋭角となるように繰り出して前記第１の毛束の根元に結着することを特徴とする、請求項９又は１０に記載のかつら取付部の形成方法。
【請求項１２】
前記２本の編込み用糸を複数回撚り合わせて、中間に広がり部をもたせかつ該広がり部の両側にそれぞれ撚り合わせ部を形成し、上記広がり部に対し前記集束毛と前記芯糸とを通し、次いで上記広がり部を最も近い毛束の近傍に移行させて縮径させ、上記２本の編込み用糸で集束毛と芯糸とを締め付け束ねることを、前記毛束間で１回又は複数回行うことを特徴とする、請求項８乃至１１の何れかに記載のかつら取付部の形成方法。
【請求項１３】
糸を１本又は複数本使用し、該１本又は複数本の糸を、頭部から所要寸法離れた位置で前記各編込み用糸にテンションをかけて頭部方向へ繰り出し、該糸の先端から所要長さの位置に結び目とする輪を作り、この輪で前記第１の毛束の根元近傍を結着し、上記第１の毛束から繰り出し元側の糸部分を上記編込み用糸として使用し、上記第１の毛束から先端までの糸部分を芯糸として使用することを特徴とする、請求項８に記載のかつら取付部の形成方法。
【請求項１４】
前記上記芯糸と前記編込み用糸とは別の糸を使用し、上記編込み用糸は、頭部から所要寸法離れた位置でテンションをかけて頭部方向へ繰り出して先端を前記第１の毛束の根元に結着することを特徴とする、請求項１３に記載のかつら取付部の形成方法。
【請求項１５】
前記集束毛を延長するごとに該集束毛と前記芯糸とを共捻りし、該共捻りした集束毛と芯糸とを前記編込み用糸の輪に通して輪を縮径して締め付け束ねることを、前記毛束間で１回又は複数回行うことを特徴とする、請求項８乃至１４の何れかに記載のかつら取付部の形成方法。
【請求項１６】
請求項８乃至１５の何れかに記載の前記編込み用糸は、かつら装着者の側方に配置したリールから引き出した糸を使用することを特徴とする、かつら取付部の形成方法。
【請求項１７】
かつら取付部の形成開始に先立って、前記かつらベースの輪郭に沿って前記頭部にマーカー線を印す、請求項８乃至１６の何れかに記載のかつら取付部の形成方法。
【請求項１８】
請求項８乃至１７の何れかに記載のかつら取付部の形成方法によって形成されたかつら取付部と前記かつらの周縁部とをかがり糸よって括りつけることで、かつらを頭部に固定することを特徴とする、かつらの固定方法。
【発明の詳細な説明】
【技術分野】
【０００１】
本発明は、かつら装着者の頭髪を利用して形成したかつら取付部の構造と、このかつら取付部の形成方法、並びに当該かつら取付部を利用してかつらを固定する方法に関するものである。
【背景技術】
【０００２】
かつらは、かつらベースとこのかつらベースに植設した擬毛とを有して構成される。かつらベースは、一般に、合成樹脂や布等からなり、擬毛は人毛や合成繊維で作った人工毛からなっている。
ところで、かつらを頭部に固定する場合、かつら内面に設けたストッパを用いてかつら装着者自身の薄毛部周辺の頭髪に当該ストッパを所定間隔で係着する方式、或いは、接着剤や両面テープにより頭部に直接貼着する方式などが知られている。これらの方式は、通常、手軽にかつらの装着脱が行えるという利便性を備えている。
一方、頭部の薄毛個所の周辺に残った頭髪の複数本を取り纏めて毛束を作り、この毛束をかつらの輪郭に沿って、順次、複数個所で作っていき、これらの毛束を利用して、かつら取付糸を毛束と共に編み込むことで、かつら装着者の頭部上でかつらを取り付けるための取付部を形成し、このかつら取付部を利用してかつらを固定する方式も知られている。この方式では、かつらを頭部に正しく載せかつらベースの端とかつら取付部とをかがり糸で緊縛していくことで、かつら装着者の頭部に固定するものである。この方式では、通常、数十日から１か月余程度かつらの装着を継続することができるので、かつらを頻繁に装着脱する手間を省くことができる。
【０００３】
後者、すなわち、かつら取付部を利用したかつらの固定方式にあっては、従来、例えば特許文献１〜４に記載した技術が提案されている。
特許文献１のかつら取付部の形成方法は、１本の括り糸と、２本の撚り糸（かつら取付糸）との端に結び目を形成し、編込み開始位置から１０〜１５本程度の毛束を取り出し、この毛束を３本の糸の結び目に密着させて括り糸と２本の撚り糸の間に下方から挟み込んで編込みを開始する。この編込み方式では、３本の糸と毛束とで三つ網よりも難しい特殊な四つ網を行うものである。この編込みは、次の毛束を取り出す距離までの間に、４〜５回、毛束を３本の糸の間に通して順次編み込んでいき、次の毛束を取り出す手前で２個の結び目を形成して１サイクルを完了する。この１サイクルの編込みを反復して頭部を捲回していき、最後に結び目を作るものである。
【０００４】
特許文献２によれば、「頭部の無毛箇所等の周辺に残った毛体を２本の糸で撚り合わせて編込む１サイクル毎の結び目間に於いて、毛束を２本の糸で捲回して編込む工程と、その糸で玉結びの中間の結び目を形成する工程と、毛束を引締め且つ２本の糸で固定する工程と、結び目を２本の糸で形成する工程とから成るかつら取付部の形成方法」を提案している。この方法によれば、１サイクル毎に結び目を２つずつ作ることになり、各結び目は、毛束を堅く締め結んでおらず片側へ寄せている。
【０００５】
特許文献３によれば、「頭部の無毛箇所および薄毛箇所の周辺に残った毛髪を複数本束ねた毛髪束に２本の糸を編み込んでかつら取付部を形成する方法であって、２本の糸によって形成される１サイクル毎の結び目間において、毛髪束を２本の糸の間に挿通した状態で２本の糸を撚りループを形成しループに毛髪束が通った状態にする工程と、毛髪束を２本の糸の間に挿通しない状態で糸を撚りループを形成する工程と、ループを引き絞る工程と、一方の糸に他方の糸を巻き付けて結び目を形成する工程とから成る、かつら取付部の形成方法」を提案している。この方法によれば、２本のかつら取付糸が額部に巻回されている状態になる。
【０００６】
特許文献４で提案しているかつら取付部の形成方法は、最初に例えば３本のかつら取付糸の先端部を編込み開始位置を通り越して適宜に結び付けておく。この場合、かつら取付糸の先端部を、額部を通り越して頭部の編込終了予定位置より取り纏めた毛束に結び付けるか、または、頭部と離れた壁や柱など固定部に結び付けておく。そして、頭部の編込開始位置より取り纏めた毛束をかつら取付糸に対して編み込んで編込み部を作り、かつらベースの輪郭に沿った適宜間隔で取り纏めた毛束を用いてかつら取付糸を順次頭部に固定させる。必要に応じ、かつら取付糸の１本を括り糸とし、毛束のセット毎に結び目をつくる。最後に、最初の１〜１０本のかつら取付糸と連結し、かつら取付糸の先端部の余分を切除する。この方法によれば、かつら取付糸が額部に巻回されている状態になる。
【先行技術文献】
【特許文献】
【０００７】
【特許文献１】特許第２５７９６６６号公報
【特許文献２】特開２００２−２２０７２１号公報
【特許文献３】特開２００３−１１３５１８号公報
【特許文献４】特許第３６８６９９８号公報
【発明の概要】
【発明が解決しようとする課題】
【０００８】
特許文献１のかつら取付部の形成方法によれば、一の毛束と２本の撚り糸（かつら取付糸）との撚り合わせが終わったら、次の毛束を取り出して２本の撚り糸との撚り合わせを行うものであり、しかも１サイクルの編込み回数が多いので、一の毛束の取出し位置と次の毛束の取出し位置との１サイクルの距離を長く取る必要があることから、編込みをどんなにきつくしても１サイクルの距離の中間位置ではどうしてもゆるい感じなってしまう。この課題は、特許文献２，３でも解決できない。
【０００９】
特許文献１〜３によれば、技術者が最初の編込み時、２本の取付糸の先端から編み込み部までがピーンと張った状態でなければ、毛束をつかんでうまく編み込むことができないので、取付糸の先端を別の技術者か又はかつらを取り付けてもらっている人に持ってもらって、取付糸にテンションをかけて展張状態を保ちながら編み込みの作業を行い、少なくとも編み込み部を５個程度作ってある程度固定しなければ作業ができない、という課題がある。
【００１０】
特許文献４によれば、取付糸の先端を壁や柱に固定する方法は、被編込者の頭部と壁などの位置によっては、被編込者に無理な姿勢を強いたり、編込み時の取付糸の緩みを気にするあまり、取付糸のテンションが強くなり、頭髪が引っ張られて過度の痛みを生じる。また、編込み進行方向とは逆の被編込者の頭部に固定する方法は、編込み作業中ずっと、取付糸にテンションが掛かった状態で頭部に接しており、編込み自体以外に不快感を与えると共に、編込み作業が取付糸を固定した位置に差し掛かった時に、取付糸のテンションを緩ませずにその固定を解除することは困難である、という課題がある。
上記特許文献１〜４に記載の何れの技術にあっても、各毛束のそれぞれが個々に取付糸で編み込まれているにすぎない。言い換えれば、毛束を連続して編み込んでいくものではなく毛束毎の編込み方式（１サイクル独立完結編込み方式）であるので、個々の編込み部がきつく編み込まれているために頭部の不快の度合いが高い。さらに、毛束は、一つの毛束毎に編み込まれる１サイクル独立編込み式であるため、毛束と毛束との間は取付糸で結着されているにすぎず不連続であるので毛束同士が各々独立している状態であるが、編込みしている取付糸は連続しているので、緩んだ場合の補修が不可能であること、さらに、取付部の緩みが生じ易くなると共に、かつら取付部の形成作業も煩雑にならざるを得ない。
【００１１】
本発明は、かつらを固定するためのかつら取付部をかつら装着者の頭髪を利用して形成し、このかつら取付部にかつらを固定するものであるが、このかつら取付部の形成作業に熟練を必要とせず簡単に遂行でき、且つ、緩んだり解けたりせずに確実に且つ強固に形成し得る、かつら取付部とその形成方法を提供することを一目的とする。
本発明は、さらに、頭髪が過度に引っ張られることが無くかつらとの自然な一体感を得ることができるかつらの固定方法を提供することを他の目的とする。
【課題を解決するための手段】
【００１２】
上記一目的を達成するため、本発明は、かつらの輪郭の少なくとも一部に沿ってかつら装着者の頭部に形成されたかつら取付部であって、複数本の毛髪を取り纏めて毛束とし該毛束を順次一方向に重ね合わせることで連接して形成する集束毛と、集束毛の全長に沿って配設する芯糸と、集束毛を結束する編込み用糸と、で成り、編込み開始端の毛束を編込み用糸で結着すると共に、集束毛と芯糸とを纏めてその外周を編込み用糸で結束することで、連鎖状に連続した編込み部を備えたことを特徴とする。
【００１３】
上記一目的を達成するための本発明のかつら取付部の形成方法は、頭部のかつら取付部の形成を開始する位置の複数本の毛髪を取り纏めて第１の毛束とする工程と、第１の毛束の根元付近に編込み用糸を結着する工程と、第１の毛束に芯糸を添わせる工程と、第１の毛束に隣接した位置の複数本の毛髪を取り纏めて第２の毛束とする工程と、第１の毛束及び芯糸と、第２の毛束とを一方向に重ね合わせることで毛束を連接させて集束毛とする工程と、集束毛を纏めて外側から編込み用糸で結束して編込み部とする工程と、を備え、以後同様に、順次、後続する毛束を取り込んで編込み用糸で結束することで、かつら取付部の形成を終了する所定位置まで編込み部を連鎖状に連続して形成することを特徴とする。
【００１４】
上記他の目的を達成するための本発明のかつらの固定方法は、上記かつら取付部の形成方法によって形成されたかつら取付部に対し、かつらの周縁部をかがり糸によって括り付けることで、かつらを頭部に固定することを特徴とする。
なお、本出願で使用している「結束」の語は、何れかで特段の定義づけをしていない限り、毛髪同士を或いは糸同士を又は糸と毛髪とを緊縛することを含むほか、緊縛することなく、これらを撚り合わせ、捻じり、重ね合わせ、縫合、捲回、或いは接着又はこれらを組み合わせるなどにより、ばらけないよう束ねて、互いに拘束し束縛して固定する行為又は状態を広く含むものとする。
【発明の効果】
【００１５】
本発明のかつら取付部によれば、編込み部の始端から終端に至るまで芯糸が通っていて、且つ各毛束が順次連接して集束毛を形成しているので、この集束毛を順次連接した数多くの毛束で頭髪に固定でき、従来よりも数多く取り出す毛束によって芯糸を頭部に強固に支持することができることから、毛髪が過度に引っ張られることが無いかつら取付部を提供することができる。
本発明のかつら取付部の形成方法によれば、かつら取付部の形成の開始時に芯糸に張力をかけておく必要が無く、編込みに熟練を必要とせず、従来よりも数多く取り出す毛束によって芯糸を頭部に強固に支持することができる。よって、互いに隣り合う毛束の間隔が広くなりすぎないから、毛束間において芯糸を頭部表面に近接させることができて緩みが生じにくく毛髪が過度に引っ張られることが無い、綱状又は連鎖状に連続したかつら取付部を形成することができる。
【００１６】
上記かつら取付部及びその形成方法によれば、編込み部は、多数本の毛髪を集めて連続した綱状体又は連鎖体になり、かつ芯糸を絡み通しているので非常に強度が大きいものとなる。
そして、各毛束間で、芯糸と共に連接した集束毛を編込み用糸で外周から結束して編込み部を構成したものであるから、位置を異にして取り纏めた毛束と毛束が密着され、また毛束と芯糸が密着され、編込み部に外力が加わっても、毛束と毛束の相互間に、また毛束と芯糸の相互間にずれが生じることがない。
また、各毛束間で行う編込み用糸による結束は、従来のような毛束間で編込みを何回も繰り返して距離を長くとってしまうことはないので、毛束の間隔を小さくすることができるから、従来に比べて毛束を数多く設けることができ、該多数の毛束によってかつら取付部を頭部に強固に固定することができる。
このように、従来に比べて多数の毛束によって連接した集束毛を頭部に強固に固定できるから、かつら取付部にかつらをかがり糸で取り付ける際に加わる外力やかつら取付後にかつらに外力が加わる場合、この外力は、連続した集束毛によって多くの毛束に伝わるように分散され、各毛束に係る引張力が小さく抑制され、頭皮に突っ張り感を与えることが無く、かつらとの一体感が損なわれることがない。
【００１７】
本発明のかつらの固定方法によれば、上記形成方法によって、従来よりも数多く取り出す毛束によって芯糸を頭部に強固に支持してなるかつら取付部に対し、かつらをかがり糸でかがって固定するものであるから、一部の毛髪だけが過度に引っ張られることが無くかつらとの自然な一体感を得ることができる。
【図面の簡単な説明】
【００１８】
【図１】本発明のかつら取付部の第１の実施形態に係り、頭部上方から視た斜視図である。
【図２】図１のかつら取付部の両端部分を拡大し中間を省略した全体の模式的側面図である。
【図３】(ａ)は第１の実施形態に係るかつら取付部の形成方法を示す概略斜視図、(ｂ)は概略平面図、(ｃ),(ｄ),(ｅ)はかつら取付部の形成方法における第１段階を示す図である。
【図４】かつら取付部の形成方法を示す工程図である。
【図５】図４に続くかつら取付部の形成方法を示す工程図である。
【図６】（ａ）,（ｂ）は図５に続くかつら取付部の形成方法を示す工程図、（ｃ）はかつら取付部へかつらを固定する方法を示す図である。
【図７】第２の実施形態に係るかつら取付部を頭部上方から視た図である。
【図８】第３の実施形態に係るかつら取付部を頭部上方から視た図である。
【図９】第４の実施形態に係るかつら取付部を頭部上方から視た図である。
【図１０】第５の実施形態に係るかつら取付部を頭部上方から視た図である。
【図１１】かつら取付部の形成方法の第６の実施形態に係り、（ａ）は かつら取付部の形成途中を示す斜視図、（ｂ）は編込み部の斜視図である。
【発明を実施するための形態】
【００１９】
以下、本発明の実施形態に係るかつら取付部とその形成方法、並びにかつらの固定方法について、それぞれ図面を参照して説明する。
〔第１の実施形態〕
この実施形態に係るかつら取付部１００は、図１に示すように、かつら装着者の薄毛状態が前額部から頭頂部に亙っておりその周辺に存在する自毛を利用することで、略Ｕ状に形成されている。この場合、図示しないかつらは、このかつら取付部１００と実質的に一致する外周を有するよう、通常、ほぼ縦長の楕円状に形成されるが、かつらの周縁部がこのかつら取付部１００を僅かに覆う外形を有するように作製されていてもよい。
【００２０】
このかつら取付部１００は、図２に示すように、複数本の頭髪（以下、適宜、自毛又は毛髪と称する場合がある。）を取り纏めて毛束とし該毛束を順次一方向に重ね合わせることで、毛髪の束が順次連接された集束毛１０と、集束毛１０の全長に沿って配設する芯糸１１と、集束毛１０を結束する編込み用糸１２と、で予め設定した形状、図示の例ではＵ状に形成されている。そして、編込み開始端の第１の毛束１は編込み用糸１２で結着されて結着部１３Ａが形成されると共に、集束毛１０と芯糸１１とを纏めてその外周を編込み用糸１２で結束することで、所定形状のかつら取付部となるよう、連続した編込み部２０を備えて形成されている。
【００２１】
図２において、１，２，３，・・・，ｎ−３，ｎ−２，ｎ−１，ｎはいずれも毛束である。  毛束１，２，３，・・・，ｎ−３，ｎ−２，ｎ−１，ｎは、予め設定した略Ｕ状の形状に合わせた線（図３において、点線ｂで示すかつらの輪郭線）に沿って、複数本、例えば５〜２０本程度の頭髪を取り纏める、すなわち捕捉することで形成される。捕捉した毛束を緊縛することなどは不要であり、単に一纏めに束ねるだけでよい。
ここで、かつら取付部の形成を開始する編込み開始位置Ａ１（図３（ｂ）参照）において、複数本の頭髪を捕捉し取り纏めて第１の毛束１とし、次いで、第１の毛束１に隣接した複数本の頭髪を取り纏めて第２の毛束２とし、同様にして、編込み終了位置Ｂ１（図３（ｂ）参照）迄、順次、適宜の間隔で複数本の自毛を取り纏めて次段の毛束とすることで、多数の毛束が構成される。
互いに隣り合う毛束は適宜の間隔を有するよう間欠的に設定してもよいが、本発明では、少なくとも後段に続く毛束を集束毛に取り込みながら連接していく方式であるので、集束毛１０に隣接して生えている毛髪を次段の毛束とし、以下順次、隣接した自毛を捕捉していくことで密接して毛束を形成すると好ましい。
【００２２】
集束毛１０は、編込み開始位置Ａ１から編込み終了位置Ｂ１に至り、かつらの周縁に対応するＵ状のかつら取付部を形成するよう、多数の毛束１，２，３，・・・・，ｎ−３，ｎ−２，ｎ−１，ｎを一方向に重ね合わせることで連接して形成される。この集束毛１０に沿ってその全長に亙り芯糸１１が配設されており、この芯糸１１と集束毛１０とを纏めてこれらの外周を編込み用糸１２で結束していくことで、順次、編込み部２０が形成される。この編込み部２０を１本の綱状に連続して延出して所定の長さに形成していくことで、編込み開始位置Ａ１から編込み終了位置Ｂ１に至るかつら取付部１００となる。芯糸１１と編込み糸１２とは、それぞれ別個の糸を用いてもよいが、本実施形態では、後述するように、同一の糸で構成されている。
【００２３】
編込み用糸１２は、最初に、その先端を編込み開始端の第１の毛束１に結着されて結着部１３Ａが形成されている。本実施形態では、第１の毛束１の結着部１３Ａは、編込み用糸１２だけを用いて形成されているが、芯糸１１の基端を編込み糸１２と共に第１の毛束１に結着することで結着部１３Ａを形成してもよい。この結着部１３Ａは、編込み用糸１２又は該編込み用糸１２と芯糸１１による結び目１３Ａを第１の毛束１のなるべく根元付近に近づけることで形成する。
【００２４】
編込み用糸１２による結束は、詳細は後述するが、この実施形態では、２本の編込み用糸１２に撚りを掛けて広がり部１２ｂと該広がり部１２ｂの前後に撚り部１２a及び１２cを作り、広がり部１２ｂに集束毛１０と２本の芯糸１１とを通して広がり部を縮径して締め付け結束してから、さらに、編込み用糸１２のＶのコーナーに上から下に通される。かつら取付部１００は、編込み終了端Ｂ１で後述する編込み張出部２０Ａを網掛けし結束してから折り返され、編込み用糸１２で束ねられている。
【００２５】
次に、上記かつら取付部１００の形成方法の一例を説明する。
このかつら取付部１００を形成するには、下記に詳述するが、かつら装着者の頭部の薄毛領域の周辺に生えている頭髪を複数本取り纏めて毛束とし、この毛束をかつらベースの輪郭に沿って適宜間隔で順次に取り出し、各毛束同士を一方向に向けて互いに重ね合わせることで線状に連接して集束毛を形成する。そして、例えば２本の芯糸を全長に亙って集束毛と重ね合わせると共に、重ね合わせた集束毛と芯糸との外周を、例えば２本の編み込み用糸で結束することで、連続した編込み部を形成するものである。
【００２６】
この実施形態によるかつら取付部の形成方法により取付部を形成すれば、芯糸１１と毛束の重ね合わせの連続である集束毛１０とが、例えば２本の編込み用糸１２で結束され、所定の編込み開始位置Ａ１から編込み終了位置Ｂ１に至り１本の綱状に連続する編込み部２０をかつら装着者の頭部に形成することができる。従って、毛束１，２，３，・・・・，ｎ−３，ｎ−２，ｎ−１，ｎを介して芯糸１１が頭部にしっかりと固定され、且つかつらをかがり糸でかがる場合に、編込み部２０の中から芯糸１１のみが括られてしまうことが無いかつら取付部１００が形成される。
【００２７】
この実施形態に係るかつら取付部の形成方法では、かつら装着者の頭部の薄毛領域が図１に示すＵ形状である場合に、符号１００で示すＵ状にかつら取付部を形成する手順を示す。この実施形態では、かつら取付部の形成開始端（編込み開始端）Ａ１は、左側のこめかみの上の生え際とし、かつら取付部の形成終了端（編込み終端）Ｂ１は、右側のこめかみの上の生え際付近、又はこれより例えば１０ｍｍ程度引っ込んだ位置とする。
この実施形態に係るかつらの固定方法は、上記かつら取付部の形成方法によって形成されたかつら取付部１００を利用してかつらを固定するものである。
【００２８】
第１の実施形態に係るかつら取付部の形成方法は、次の工程を有している。
第１の工程：かつら装着者の頭部にかつら取付部を形成する領域を決定する。
第２の工程：頭部のかつら取付部の形成を開始する位置の複数本の毛髪を取り纏めて第１の毛束とする。
第３の工程：糸巻冶具（リール）から巻き糸を引き出して、先端側の糸部を芯糸とし、芯糸に続く糸巻冶具側の糸部を編込み用糸とし、これらの境目で輪を形成して第１の毛束の根元に縛ることで、結着部を形成する。
第４の工程：第１の毛束に沿って芯糸を重ね合わせる。
第５の工程：第１の毛束に隣接した位置の複数本の毛髪を取り纏めて第２の毛束とする。
第６の工程：第２の毛束を第１の毛束及び芯糸に重ね合わせこれらの集合を集束毛とする。
第７の工程：集束毛と芯糸とを外側から編込み用糸で締め付けて束ねることで、編込み部を形成する。
第８の工程：以後同様に、順次、次の毛束を取り込んで集束毛及び芯糸と共に編込み用糸で結束していき、終端のかつら取付部の形成を終了する所定位置まで、同様の作業を繰り返して、一本の綱状に連続する編込み部を形成する。
第９の工程：かつら取付部の形成を終了する位置に形成された棒状の編込み張出部を折り返して末端側の編込み部に縫い合わせることで、かつら取付部を完成する。
第１０の工程：形成したかつら取付部を利用してかがり糸によりかつらを固定する。
以下、各工程について詳述する。
【００２９】
〔第１の工程〕
まず、顧客の頭部に、図示しないかつらを正しい装着位置となるように載せ、額の中央にマーカーで例えば十字に印ａを付け、かつらの内面にも対応する位置に印を付ける。
かつらを頭部に載せたまま位置ずれが生じないように注意深く押さえ、図１、図３（ａ）に示すように、頭皮にかつらの輪郭を示す線ｂを例えば破線にてマーカーで印し、線ｂをもってかつら取付部の形成位置と決定する。
そして、図３（ａ）に示すように、かつらの輪郭線ｂより上側の自毛を水を入れたトリガースプレー等で湿らせ櫛で梳かしてから、かつらの輪郭線ｂを境にその上側の自毛をシングルピンｃでブロッキングする。
【００３０】
図３（ａ）及び（ｂ）に明瞭に示されているように、顧客頭部のかつら取付部の形成開始端側（編込み開始端側）Ａ１から離隔した側方に例えば支柱３０を立て、支柱３０に二つの糸巻冶具、例えばリール３１，３２を上下配置に設ける。この際、Ａ１点の接触表面に対するリール３１，３２から繰り出す糸の平面角αが余り大きく開かないようにセットする。
【００３１】
次に、図３（ｂ）に示すように、各リール３１，３２からそれぞれリール糸Ｓを引き出し、該２本のリール糸Ｓの先端を揃え、２本のリール糸Ｓを合わせて適宜の中程を顧客の編込み開始端にあてがい固定した状態で、２本のリール糸Ｓの先端側をマーカーで印されたかつらの輪郭線ｂに沿って編込み終端Ｂ１まで導き、さらに、この編込み終端Ｂ１から２本のリール糸Ｓの先端までの距離を例えば１００〜２００ｍｍ程度長く採寸する。
【００３２】
上記のようにして、２本のリール糸について編込み開始端Ａ１にあてがう位置を決定する。本明細書においては、リール糸Ｓの編込み開始端Ａ１より先端側にあるリール糸を芯糸１１、編込み開始端Ａ１よりリール側にあるリール糸を編込み用糸１２とする。編込み用糸１２の先端部、すなわち、芯糸１１の基端を編込み開始端Ａ１にあてがい、この位置がずれないように、図３（ｃ）に示すように、編込み用糸１２で輪１３を作る。輪１３の作り方は、第１の毛束１を緩みが生じないようしっかり縛れる二重或いは三重の輪とするのがよい。輪１３は縮径できればよく、作り方はこれに限定されない。リール糸は、天然繊維、化学繊維、金属繊維、ゴム状繊維などの撚り糸、テグス、ワイヤーもしくはこれらの組合せからなるものを適宜選択し得る。
【００３３】
〔第２の工程〕
第２の工程では、顧客頭部のかつら取付部の形成開始端Ａ１において、複数本の毛髪を取り纏めて第１の毛束１とするが、毛束を結着することは要しない。
かつら取付部の形成を開始する位置は、顧客の左こめかみ部付近に設定し、これをかつら取付部形成開始端側（編込み開始端側）Ａ１とする。この領域に生えている複数本の自毛をコームで掬い取って纏めることで第１の毛束１とする。
【００３４】
〔第３の工程〕
第３の工程では、図３（ｄ）に示すように、第１の毛束１の根元を、各リールから引き出した２本のリール糸Ｓで作った輪１３で取り囲み、図３（ｅ）に示すように、この輪１３を縮径していき第１の毛束１のできるだけ根元付近を緊縛して結着部１３Ａとする。緊縛位置が第１の毛束１の根元から上方へ位置ずれしてしまう虞がある場合には瞬間接着剤を少量塗って位置ずれを止める。
【００３５】
図３（ａ）に示すように、２本のリール糸Ｓで第１の毛束１を縛った状態で、先端側部分を芯糸１１として垂れさせる。リール３１，３２から結着部１３Ａまで繰り出された２本の糸は編込み用糸１２として、後述する以後の編込み操作において毛束１，２，３，・・・・，ｎ−３，ｎ−２，ｎ−１，ｎの重ね合わせからなる集束毛１０と芯糸１１とを結束するために用いる。この構成によれば、芯糸１１と編込み用糸１２は２本のリール糸Ｓで結着部１３Ａを境界として前後に形成されている。
【００３６】
〔第４の工程〕
第４の工程は、第１の毛束１に沿って芯糸１１を重ね合わせる段階である。
図４（ａ）に示すように、第１の毛束１に芯糸１１を添わせてこれらを重ね合わせ、図４（ｂ）に示すように、頭皮から離れた位置で保持する。頭皮から垂直方向に離れるように保持するのは、次の第５の工程における第２の毛束２を取り込む際に邪魔にならないようにする配慮からであり、必要的な手順ではない。なお、第１の毛束１と芯糸１１とを重ね合わせた段階で、矢印ｄに示すように指で右回り（時計回り）の捻りを入れて保持するようにしてもよい。
【００３７】
〔第５の工程〕
第５の工程は、第１の毛束１に隣接した位置の複数本の毛髪を取り纏めて第２の毛束２とする段階である。
図４（ｃ）に示すように、かつらの輪郭線ｂに沿って第１の毛束１から隣接した位置の複数本の自毛を取り纏めて第２の毛束２とする。第２の毛束２及びそれ以降の毛束は、第１の毛束１よりも自毛数が少なくてよい。
【００３８】
〔第６の工程〕
第６の工程では、第２の毛束２を第１の毛束１及び芯糸１１に重ね合せた毛束同士の集合を集束毛１０として形成する。図４（ｄ）に示すように、第２の毛束２を、上記第１の毛束１及び芯糸１１に重ね合わせる。ここで、２つ以上の毛束の重ね合わせを集束毛１０という。第１の毛束１と第２の毛束２の重ね合わせ、すなわち集束毛１０は、かつらの輪郭線ｂに沿って寝かせながら行う。そして、矢印ｅに示すように集束毛１０に右回り（時計回り）の捻りを加える。このとき、集束毛１０に沿って配置した芯糸１１も一緒に捻りが加えられる。従って、集束毛１０は第２の毛束２の上に重なる。以後、集束毛１０に第３の毛束、第４の毛束、・・・と重ねていくことで、連接状態で集束毛１０は延長されていく。  毛束１，２，３，・・・・，ｎ−３，ｎ−２，ｎ−１，ｎの重ね合わせからなる集束毛１０は、各毛束が数センチメートル、例えば自毛を５ｃｍとすれば、各毛束も約５ｃｍの長さであることが前提である。従って、毛束１と毛束２とが重なって最初の集束毛１０を構成し、次々に毛束が重ね合わされていき集束毛１０が延長されていく。例えば、第１の毛束１は第４〜第５の毛束の付近で途絶え、第２の毛束２は第５〜第６の毛束の付近で途絶え、そのようにして、先に重ね合わされた毛束は次々に途絶えるが、新しい毛束が重ね合わされることで互いに連接されていき、全体として１本の線状に連続した集束毛１０が延長されていく。この際、芯糸１１は、互いに連接されて延長される集束毛１０に沿って、各毛束の集束を支持し且つ連接を補強しながら集束毛１０と共に、重ね合わされて共に捻じり合わされつつ巻き込まれて、連続して延長されていくことになる。
【００３９】
〔第７の工程〕
第７の工程は、集束毛１０と芯糸１１とを外側から編込み用糸１２で結束し、編込み部２０を形成する段階である。
図５（ａ）〜（ｇ）に示すように、集束毛１０に捻りを入れた部分に対して２本の編込み用糸１２で外側から締め付けて束ねる。このとき、集束毛１０と芯糸１１を外側から締め付けて束ねた状態でかつらの輪郭線ｂに沿うように、技術者の一方の手で保持し、他方の手で編込み用糸１２に撚りを入れる操作を行う。この場合、２本の編込み用糸１２で束ねる前に、第１の毛束１及び芯糸１１と、第２の毛束２とを重ね合わせた時点で右回り（時計回り）に捻りを加える（図４（ｂ）,（ｄ）参照）。これによって、集束毛１０を第１の毛束１及び第２の毛束２の根元に可能な限り近づけた状態に保つことができ、集束毛１０は第１の毛束１及び第２の毛束２の上に限りなく重なる。
【００４０】
ここで、２本の編込み用糸１２によって集束毛１０と芯糸１１を外側から結束する手順について説明する。
図３（ａ）に示すように、２本の編込み用糸１２は、上下２つのリールによってそれぞれにテンションをかけられて頭部方向へ間隔を次第に狭めた鋭角となるように繰り出される。技術者は、一方の手、例えば左手でのあや取り操作によって、図５（ａ）に示すように２本の編込み用糸１２に複数回撚りを掛ける。図５（ａ）では３回撚っている。このように、２本の編込み用糸１２に撚りを加えて、中間に広がり部１２ｂをもたせかつ該広がり部１２ｂの前側に一方向の撚り部１２ａを形成するとともに、後側に逆方向の撚り部１２ｃを形成する。ここでは、撚り部１２ａ，１２ｃは３巻きとなる。左手でのあや取り操作において、広がり部１２ｂに対し集束毛１０と芯糸１１とを矢印ｆのように引き入れる。この場合、広がり部１２ｂに差し入れた左手の指を第１、第２の毛束１，２の根元に近づけることで前の撚り部１２ａを第１、第２の毛束１，２の根元に密着させ指で押さえて集束毛１０と芯糸１１とを矢印ｆのように引き入れる。次いで、前の撚り部１２ａを第１、第２の毛束１，２の根元への密着を確保したままで、図５（ｂ）に示すように、後の撚り部１２ｃを最も近い毛束、ここでは第２の毛束２の根元近傍に移行させて、広がり部１２ｂを縮径させることで２本の編込み用糸１２により集束毛１０と芯糸１１とを外周から締め付けて結束する。
続いて、後の撚り部１２ｃを第１、第２の毛束１，２の根元へ密着させたまま、図５（ｃ）に示すように、リール方向にＶに広がる２本の編込み糸１２のＶのコーナー１２ｄに、第１、第２の毛束１，２及び芯糸１１を矢印ｇのように上から下に通し、図５（ｄ）に示すように、第１、第２の毛束１，２及び芯糸１１を２本の編込み糸１２のＶのコーナーに押さえ付ける。
【００４１】
〔第８の工程〕
第８の工程は、第３の毛束３の取り纏めから図３（ｂ）に示す編込み終了位置Ｂ１に至る迄、同様の作業を繰り返して、一本の綱状に連続する編込み部２０を形成する段階である。この工程では、第７の工程と同様の作業を繰り返し、第３以降の毛束３，・・・，ｎ-３，ｎ-２，ｎ-１，ｎについて、順次、毛束の連接により、毛束の重ね合わせを行いながら、芯糸１１を絡めつつ集束毛１０を延長し、毛束を重ね合わせる毎に編込み用糸１２で第７の工程と同様の作業を繰り返し結束して編込み部２０を形成していく。
すなわち、第７段階の以降において、図５（ｅ）〜（ｇ）に示すように、集束毛１０及び芯糸１１と共に編込み用糸１２で結束した編込み部２０に、さらに第３の毛束３を取り込み、編込み用糸１２で芯糸１１と共に結着することで、編込み部２０をさらに延長して形成し、以後、かつら取付部の形成を終了する位置まで、かつらの輪郭線ｂに沿って適宜間隔で第４の毛束、第５の毛束、・・・第ｎの毛束を順次に取り出し、各毛束を取り出す毎に、かつらの輪郭線ｂに沿わせた集束毛１０及び芯糸１１に重ね合わせて編込み部２０を延長させる。
【００４２】
この編込み作業の際、上述したように、２本の編込み用糸１２で中間に広がり部１２ｂをもたせ、該広がり部１２ｂの前後に３回の撚り部１２ａ，１２ｃを形成し、広がり部１２ｂに集束毛１０と芯糸１１とを矢印ｆのように通して広がり部１２ｂを縮径することを１回行って、編込み用糸１２で外側から締め付けて結束したら、２本の編込み用糸１２に撚りを加えないで、編込み用糸１２のＶのコーナー１２ｄに集束毛１０と芯糸１１とを矢印ｇのように上から下へ通して押さえ付ける。こうして、次々に新しい毛束を取り纏めて集束毛１０と芯糸１１とに重ね合わせたら、これらを右回り（時計回り）に捻ってから編込み用糸１２で外側から締め付けて束ねると、かつらの輪郭線ｂに沿って頭皮に近接し又は密着した編込み部２０を連続して形成していくことができる。編込み部２０は、多くの毛束によって頭部に固定され、編込み部２０を編むときの力は多くの毛束に分散される。編込み部２０の完成したものがかつら取付部１００である。
【００４３】
〔第９の工程〕
かつら取付部の形成を終了する位置まで順次、連続して編込み部２０を形成すると、最後に棒状の編込み張出部２０Ａが形成されることになる。第９の工程では、このようにして形成された編込み張出部２０Ａを折り返して終端側の編込み部２０に縫い合わせることで、かつら取付部として完成する。
すなわち、最終段階では、図６（ａ）に示すように、かつら取付部の形成を終了する位置において余る集束毛１０と芯糸１１とを集束毛１０の先端付近まで編込み用糸１２で締め付けて束ねることで、棒状の終端張出部、すなわち編込み張出部２０Ａを形成し、図６（ｂ）に示すように、編込み張出部２０Ａをかつら取付部の形成終了位置から折り返し、形成終了位置まで形成したかつら取付部１００の終端側の編込み部２０に縫い合わせる。
編込み張出部２０Ａを折り返して縫い合わせるには、１本の編込み用糸１２をリールから断ち切り、該断ち切った編込み用糸１２を残り１本の編込み用糸１２に緊縛することを２回行って余分を切除し、残り１本の編込み用糸１２についても適当な長さを残してリールから断ち切る。
【００４４】
そして、後から断ち切った編込み用糸１２の先端を、図示しない手芸用のＣ形針の目に係止し、Ｃ形針を用いてかつら取付部の下に通し、かつら取付部１００と編込み張出部２０Ａとを束ねるように編込み用糸１２を掛け回すことを反復して、上記折り返した編込み張出部２０Ａをかつら取付部に括りつける。図６（ｂ）に示すように、括りつけが終了したら、編込み用糸１２と２本の芯糸１１とを結着し、余分を切断する。
以上で、かつら取付部１００の形成を終了するが、必要に応じて、新たな編込み用糸を用いてＣ形針にてかつら取付部の開始端から終了端まで締め付ける工程を入れてもよい。この場合の締付け操作は、編込み張出部２０Ａのかつら取付部への括りつけと同様に行う。
【００４５】
〔第１０の工程〕
上記のようにしてかつら装着者の頭部に形成されたかつら取付部１００を利用して、かがり糸によりかつら装着者の頭部にかつらが固定される。
図６（ｃ）に示すように、かつら取付部を形成したら、かがり糸２１を用いてかつら２００をかつら取付部１００に取り付ける。まず、２つのＣ形針にかつら取付部の長さの例えば約３倍の長さの各かがり糸の一端をそれぞれ係止し、一方のＣ形針をかつら取付部の一端に括りつけ、他方のＣ形針をかつら取付部の他端に括りつける。そして、かつら装着者の頭部にかつらを載せ、当初の工程でつけた額の印とかつら２００の内面の印とを合わせ、かつら２００の周辺をかつら取付部の内縁に重なるように位置させる。次いで、かつら取付部の一端に括りつけたＣ形針を、かつら取付部の下側に潜らせ、さらにかつら２００の周縁部に縫い通すことを複数回繰り返し、かがり糸によりかつら取付部とかつら２００の周縁部とを縫い合わせる。同様に、かつら取付部の他端に括りつけたＣ形針を、同様の操作でかつら２００の周縁部に縫い通すことを複数回繰り返し、かがり糸によりかつら取付部とかつら２００の周縁部とを縫い合わせる。以後、後頭部に向かって左右交互にかがり糸によりかつら取付部とかつら２００の周縁部とを縫い合わせていく。かがり糸は、リール糸と同じ材質のものが使用できる。
【００４６】
かつらベースの額側の部分は、かつら取付部が無いので、両面テープあるいは接着剤により固定される。
【００４７】
上記構成のかつら取付部の形成方法によれば、毛束を次々に重ね合わせて連接させる集束毛１０と、該集束毛１０に沿って配置する芯糸１１とを、各毛束間で２本の編込み用糸１２で結束することで、編込み部２０を形成していくものであり、毛束１，２，３，・・・・，ｎ−３，ｎ−２，ｎ−１，ｎを介して芯糸１１が頭部にしっかりと固定されてかつら取付部１００が形成される。編込み用糸１２が芯糸１１と集束毛１０とを一体的に結束することで編込み部２０を形成するので、かつら取付部とかつらとをかがり糸でかがる場合に、かがり糸が編込み部内の芯糸１１のみを誤って括って引っ張り出してしまうようなことが無く、強固なかつら取付部１００が形成される。
【００４８】
〔第２の実施形態〕
図７は、薄毛領域が額から頭頂に至るＵ字形に存在する場合において、後頭部側だけにかつら取付部１００Ａを形成する例である。符号Ａ２が編込み開始端、符号Ｂ２が編込み終了端であり、頭部の上方から見て反時計回りに編み込んでいく。かつらは、頭部の薄毛領域を覆ってかつらの後部をかつら取付部１００Ａにかがり糸で縫い合わされる。かつらは、頭部の薄毛領域の側方に生えている自毛を例えばストッパ等の挟着具で固定し、額部に両面テープあるいは接着剤により貼り付けることで固定される。
この実施例では、ストッパを外し、両面テープあるいは接着剤を剥がすと、かつらを後頭部側へ開けられるので、頭皮を直接洗うことができる。
【００４９】
〔第３の実施形態〕
図８は、薄毛領域が頭頂に円形に存在する場合において、薄毛領域を一回りするかつら取付部１００Ｂを示す。かつら取付部１００Ｂは、エンドレスであり編込み開始端Ａ３と編込み終了端Ｂ４は一致する。編込み開始端をどの位置にしてもよいが、なるべく額部から避けた位置とするのがよい。編込み用糸は、編込み終了端に到達すると、もはや編込みを続行できないので、芯糸と結着して余分を切除する。
かつらは、頭部の薄毛領域を大きく覆い、かつらの周縁はかつら取付部１００Ｂの内輪郭に密着する。かつらの周縁とかつら取付部１００Ｂとをかがり糸でかがることで、かつらを固定できる。
【００５０】
〔第４の実施形態〕
図９は、薄毛領域が頭頂に円形に存在する場合において、額側のみにかつら取付部１００Ｃを形成する例である。符号Ａ４が編込み開始端、符号Ｂ４が編込み終了端である。かつらは、額側から頭部の薄毛領域を大きく覆い、かつらの前側周縁部をかつら取付部１００Ｃにかがり糸で縫い合わされる。かつらベースの後半周縁部は自毛に対してストッパで固定される。
この実施例では、ストッパを外すと、かつらを額側へ開けられるので、頭部を直接洗うことができる。
【００５１】
〔第５の実施形態〕
図１０は、薄毛領域が額から後頭部まで存在する場合において、薄毛領域の境界線に沿って両側頭部に対向一対に形成するかつら取付部１００Ｄ,１００Ｄを示す。符号Ａ５が編込み開始端、符号Ｂ５が編込み終了端である。かつらは、額側から後頭部の薄毛領域を大きく覆い、かつらの両側周縁部を左右一対のかつら取付部１００Ｄ,１００Ｄにかがり糸で縫い合わされる。かつらの前部及び後部は、両面テープあるいは接着剤により固定される。
この実施例では、両面テープあるいは接着剤を剥がすと、額側からかつらベースの内側に手を入れて薄毛領域を直接洗うことができる。
【００５２】
〔第６の実施形態〕
図１１に示すように、この実施形態のかつら取付部は、一つのリール３１からリール糸を引き出して、先端側の糸部を芯糸１１とし、芯糸１１に続くリール側の糸部を編込み用糸１２とし、これらの境目で輪を形成して編込み開始位置Ａ１の第１の毛束１の根元に縛ることで、結着部を形成する。次いで、第１の毛束１に隣接した位置の複数本の毛髪を取り纏めて第２の毛束とし、第１の毛束１を第２の毛束に沿わせて重ね合せ集束毛１０とし、芯糸１１を沿わせて重ねる。集束毛と芯糸とを外側から編込み用糸１２で締め付けて束ねることで、編込み部を形成する。以後同様に、順次、次の毛束を取り込んで集束毛及び芯糸と共に編込み用糸で結束していき、終端のかつら取付部の形成を終了する所定位置まで、同様の作業を繰り返し、一本の綱状に連続する編込み部を形成する。次いで、かつら取付部の形成を終了する位置に形成された棒状の編込み張出部を折り返して末端側の編込み部に縫い合わせることで、かつら取付部を完成する。形成したかつら取付部を利用してかがり糸によりかつらを固定する。
この実施形態のかつら取付部及びその形成方法が、第１の実施形態と相違している点は、芯糸１１及び編込み用糸１２がそれぞれ１本であること、及び編込み用糸１２による結束の仕方が相違していることである。この実施形態では、編込み用糸１２にテンションを掛けて左手でループする輪を３つ作る。このとき、輪のクロスする部分を一回又は数回捻るようにして、３つの輪に集束毛１０を通して３つの輪を縮径したときに、スパイラルに広がらない輪とする。３つの輪を一度に作らず、輪を一つずつ作って輪に集束毛１０を通すことを複数回行うようにしてもよい。
【００５３】
〔その他の実施形態〕
本発明は、上記の実施形態に限定されるものでなく、本発明の技術的範囲には、発明の要旨を逸脱しない範囲内で種々、設計変更した形態が含まれる。
（１）上記実施形態では、芯糸１１と編込み用糸１２とをリールから繰り出したリール糸Ｓに輪を作り第１の毛束１を締めて先端側を芯糸１１、リール側を編込み用糸１２としたが、芯糸１１と編込み用糸１２とは別々の糸を用意して第１の毛束１に結着してもよい。
（２）編込み用糸１２に掛けるテンションはリール以外のものとしてもよい。すなわち、編込み用糸１２の繰り出しが可能なように該編込み用糸１２にテンションを掛けられれば足りる。
【符号の説明】
【００５４】
１００,１００Ａ,１００Ｂ,１００Ｃ,１００Ｄ…かつら取付部
１…第１の毛束
２…第２の毛束
１０…集束毛
１１…芯糸
１２…編込み用糸
１２ａ…撚り部
１２ｂ…広がり部
１２ｃ…撚り部
１３…輪
２０…編込み部
２０Ａ…編込み張出部
３１，３２…糸巻冶具
２００…かつら
【図１】
0005570280.tif 000002
【図２】
0005570280.tif 000003
【図４】
0005570280.tif 000004
【図５】
0005570280.tif 000005
【図６】
0005570280.tif 000006
【図７】
0005570280.tif 000007
【図８】
0005570280.tif 000008
【図９】
0005570280.tif 000009
【図１０】
0005570280.tif 000010
【図３】
0005570280.tif 000011
【図１１】
0005570280.tif 000012